(57)【要約】      （修正有）【課題】夏季高温時の電力需要の悪化時にも安定した性能を発揮する安価で省エネルギーの空調機を提供する。【解決手段】室外機に凝縮器として設ける熱交換器の冷却を、外気による冷却と冷却水を通水する冷却器による冷却の複数の冷却手段で冷却能力を向上し、かつ室内機のドレン水を利用した低温の冷却水を冷却器の冷却水として活用し、室外機の熱交換器の冷却を継続安定化することで、夏季高温時あるいは異常高温時にも安定した冷房性能を発揮する。【選択図】図１
2018054280.tif 000002
【特許請求の範囲】
【請求項１】
室外機に冷却器を設け冷却水を通水したことを特徴とする空気調和機。
【請求項２】
冷却水をドレン水にしたことを特徴とする請求項１の空気調和機。
【請求項３】
冷却器の通水を複数に分流したことを特徴とする請求項１、請求項２の空気調和機。
【請求項４】
冷却器を熱交換器に近設したことを特徴とする請求項１、請求項２、請求項３の空気調和機。
【請求項５】
冷却器を熱交換器に装着したことを特徴とする請求項１、請求項２、請求項３、請求項４の空気調和器。
【請求項６】
室外機に設けるファンガードと冷却器を一体にしたことを特徴とする請求項１、請求項２、請求項３、請求項４、請求項５の空気調和器。
【請求項７】
冷却器を複設したことを特徴とする請求項１、請求項２、請求項３、請求項４、請求項５、請求項６の空気調和機。
【請求項８】
室内機に冷却水を給水することを特徴とする請求項１、請求項２、請求項３、請求項４、請求項５、請求項６、請求項７の空気調和器。
【請求項９】
室内空気を加湿することを特徴とする請求項１、請求項２、請求項３、請求項４、請求項５、請求項６、請求項７、請求項８の空気調和器。
【請求項１０】
冷却水を循環することを特徴とする請求項１、請求項２、請求項３、請求項４、請求項５、請求項６、請求項７、請求項８、請求項９の空気調和器。
【発明の詳細な説明】
【技術分野】
【０００１】  本発明は室外機に冷却器を設けたことを特徴とする空気調和機に関する。
【背景技術】
【０００２】  従来の一体型やセパレート型空気調和機（以下空調機と称す）において、一般的に提供されている空調機は、冷房時に室内機で発生したドレン水を廃水として室外に放出されていた。【０００３】  また、従来の空調機の凝縮器として用いられる室外機の熱交換器の冷却は、一般的にはファンにより外気を取込んで冷却していたが、更に省エネルギー化を図るものとして、例えば公知の顕熱抑制技術（技術文献、ヒートアイランド対策技術）におけるドレン水や水道水を利用して熱交換器のフィンを濡らすことで潜熱を利用して熱交換器を冷却することで省エネルギー化を図っていた。【０００４】  従来技術の参考文献
技術文献  ヒートアイランド対策技術  空冷室外機から発生する顕熱抑制技術  実証試験結果報告書（平成１６年度）
【発明の開示】
【発考案が解決しようとする課題】
【０００５】  近年、温暖化現象による夏場の異常高温が頻繁に発生しており、冷房時の空調機の高性能化が切望されていた。更に、空調機は室内を冷房すると必然的に室外への熱の放出が生じ、外気の高温化に拍車をかけていた。
【０００６】  室外機に凝縮器として設ける熱交換器は、一般的には外気により冷却される。この場合、外気温が空調機の凝縮能力を大きく左右する。従って、夏季高温時は冷房時に大きなエネルギーを消費することになっていた。特に異常高温時には電力需要がひっ迫するほど社会問題化しており、異常高温下においても省エネルギーで安価で安定した性能を発揮する空調機が切望されていた。
【０００７】  次に、マンション等のベランダは、洗濯物を干すことや家庭菜園等の多様な用途があり、室外機をできるだけコンパクトにすることが求められていた。また、従来の空調機の高性能化、省エネルギー化の取組みは、圧縮機、熱交換器、制御システム、冷媒等の主要素品の開発に多大な費用や時間を要していた。
【０００８】（１）省エネルギー化を図るものとして、例えば公知の顕熱抑制技術等の潜熱を活用する場合、ドレン水や水道水を室外機の熱交換器のエレメントに流して該エレメントを構成するフィン（一般的に材料はアルミニウム板を使用）表面を濡らし、ファンで外気を送風することで熱交換器の冷却を図るが、該フィンにドレン水や水道水や外気中の不純物が該フィンの表面に付着し腐食を加速し、該熱交換器の耐久性及び性能を低下させた。同様に、該室外機本体や機器にも同様に耐久性等への影響が生じた。
（２）また、ファンがフィン表面の水滴を飛散し、該室外機の設置面で課題が生じた。例えばマンション等のベランダの設置には適していなかった。
（３）ドレン水を利用する場合、低温のドレン水は潜熱活用の効果は大きいが、冷房時の室内空気は除湿され、発生するドレン水は徐々に減少し、該熱交換器へのドレン水の供給ができなくなる。よってドレン水を貯水して使用することになり、常時ドレン水を供給できなかった。ドレン水の利用については、常時安定してドレン水を供給できることが切望されていた。
【０００９】  次に、空調機の熱交換器やフィルターの汚れや目詰り等は空調機の性能を低下する。そこで、室内機に設ける熱交換器については、性能低下を防止するために、定期的に該熱交換器やフィルターの洗浄が必要であった。近年は室内機に設けるフィルターの自動清掃機能付きの空調機が提供されていたが、該熱交換器の洗浄については手動洗浄が必要であった。すなわち、該熱交換器の洗浄には高圧洗浄機等の特殊な器具や技術が必要で手軽に洗浄できるものではなかった。そこで一般的には外部に委託することになり、費用面からも適時的確に、手軽に洗浄することはできなかった。その結果、洗浄後から次の洗浄までの期間、徐々に空調機の性能が低下することになっており、一定以上の性能を維持するために該熱交換器の洗浄を適時的確に容易に行える空調機が望まれていた。
【課題を解決するための手段】
【００１０】  本発明は冷房時に室外機に凝縮器として設ける熱交換器の冷却を、従来の外気による冷却と冷却器による冷却の複数の冷却手段を提供するものである。更に、冷房時に発生するドレン水の低温特性を活用し、該ドレン水を該冷却器の冷却水として活用し、室外機の熱交換器の冷却を継続安定化することで空調機の冷房能力を格段に向上させ、夏季高温時あるいは異常高温時にも安定した冷房能力を発揮させることができ、省エネルギー化とコンパクト化を実現したことを特徴とする空調機を供給するものである。
【発明の効果】
【００１１】  本発明によれば、室外機の熱交換器の冷却にコンパクトな構造の冷却器を設け、ドレン水や水道水等やこれらの混合水（以下冷却水と称す）を活用することで容易に室外機の熱交換器の凝縮能力を向上し、空調機の高性能化、高省エネルギー化を、室外機のコンパクト化を阻害しない構造の冷却器を設けることにより、従来にない新しいタイプの空調機を提供することができた。
【００１２】  冷却器を制御する制御機器は、外気や冷却水温や流量等を検知し、冷却水の温度や流量を自動調節することで、より効率よく安定して熱交換器の冷却ができた。また、水道水とドレン水を併用した冷却水の場合、水道水は流速や流量をより速く多量に自送できるため冷却器の冷却能力を向上できるので、ドレン水だけの場合より熱交換器の凝縮能力を向上できた上に、常時安定した凝縮性能で冷房能力の安定性が図れた。
【００１３】  夏季の冷房運転で発生するドレン水は概略１０°Ｃ〜２４°Ｃであり、発生する量は室内の湿度にもよるが、家庭用空調機六畳用の場合、１時間運転当たり１リットル程度発生する。該ドレン水を利用した冷却水を冷却器に活用することで、送風機で吸い込まれた外気を冷却器で効率よく容易に下げることができ、夏季高温時や異常高温時にも性能を維持することができた。
【００１４】  更に、本発明によれば、セパレート型空調機の室外機の高性能化が図れ、室外機をコンパクトにすることで、マンション等のベランダの有効活用を図れた。
【００１５】  以下、本発明の実施例について、図１、図２、図３、図４、図５に基づいて説明する。尚、本実施例では、冷却水としてドレン水を使用する。
（イ）室外機（Ａ）の本体（１）は前板（２）、右側板（３）、左側板（４）、天板（５）、底板（６）で形成する。
（ロ）本体（１）には室外機（Ａ）を据え付ける脚（１ａ）を設け、室外機（Ａ）をバランスよく設置できるようにする。
（ハ）本体（１）の正面に、右側板（３）、左側板（４）、天板（５）、底板（６）で開口部（Ｘ）を形成する。右側板（３）には通気孔（３ａ）を設ける。開口部（Ｘ）や通気孔（３ａ）は外気の吸排ができる構造であれば本実施例によらなくても差し支えない。前板（２）には、開口部（Ｘ）に相対する位置に通風口（２ａ）を設け、ファンガード（７）を装着する。ファンガード（７）は、空気の通りが容易なように網目状等に形成する。
（ニ）底板（６）に熱交換器（８）、圧縮機（９）、ファン（１０）、制御機器部（１１）等を定置する。熱交換器（８）や圧縮機（９）等の冷媒系統の機器は接続配管（図示せず）で接続し、図５に示す室内機（Ｂ）と接続することで冷媒回路を形成する（冷媒回路や制御装置については従来の多数の公知の技術によるので、詳細は省略している）。
（ホ）ファン（１０）は、モーター（１０ａ）に羽根（１０ｂ）を取着し、モーター台（１０ｃ）に装着する。本実施例ではファン（１０）は開口部（Ｘ）から外気（ｉ）を吸入し通風口（２ａ）から排出する。設置環境や機能面等で通風口（２ａ）から外気（ｉ）を吸入し開口部（Ｘ）から排出しても差支えないが、冷却器（１２）の設置は熱交換器（８）の風上に設置する。
（ヘ）熱交換器（８）は設計上から設定する所定数のフィン（８ａ）と所定数の伝熱管（８ｂ）でエレメント（８ｅ）を形成する。熱交換器（８）は一般的な公知の構造に形成する。エレメント（８ｅ）の前後にはエンドプレート前（８ｃ）とエンドプレート後（８ｄ）を取着し、熱交換器（８）を底板（６）に取着する。尚、本実施例では熱交換器（８）は冷房時の凝縮器として機能する。
（ト）熱交換器（８）は開口部（Ｘ）に近設する。熱交換器（８）はＬ字状に形成する。開口部（Ｘ）はエレメント（８ｅ）の長手部（８ｆ）の面積と同程度にし、右側板（３）の通気孔（３ａ）は熱交換器（８）の短手部（８ｇ）に吸気し冷却するものである。通気孔（３ａ）は開口部（Ｘ）と同様に開口していても差し支えない。ファン（１０）により開口部（Ｘ）と通気孔（３ａ）から吸入した外気（ｉ）は、熱交換器（８）のエレメント（８ｅ）を通過して熱交換する。従って、開口部（Ｘ）と通気孔（３ａ）は本実施例によらなくても機能的に問題がなければ差支えない。
（チ）冷却器（１２）は吸気側の熱交換器（８）に近設する。本実施例では、本体（１）の開口部（Ｘ）に装着する。すなわち、右側板（３）と左側板（４）のそれぞれの外面に、冷却器（１２）に取着した取付具右（１２ｄ）、取付具左（１２ｅ）で装着する。勿論、右側板（３）と左側板（４）のそれぞれの内面に取着してもよい。
（リ）冷却器（１２）は、冷却水の流路を通水管（１２ａ）で形成する。通水管（１２ａ）の上部にドレン水の入水口（１２ｂ）を設け、通水管（１２ａ）の下部にドレン水の排水口（１２ｃ）を設ける。通水管（１２ａ）は複数段からなり、それぞれの段はテーパをつけたヘヤピン状になっており、ドレン水は重力により自然に流れ、通水管（１２ａ）の排水口（１２ｃ）から排水される。本実施例の冷却器（１２）は、通水管（１２ａ）に冷却水としてドレン水を通水することで冷却器として機能する。
（ヌ）図５に示すように、冷却器（１２）の通水管（１２ａ）の入水口（１２ｂ）は、室内機（Ｂ）で発生したドレン水を排出するドレン水排管（１３）の排水部（１３ａ）と接続する。本実施例では、接続具（１４）を利用して接続する。通水管（１２ａ）の室外部分やドレン水排管（１３）の室外部分には、高温外気の影響を受けないように断熱材（１５）を取着する。以上のように形成することで、室内機（Ｂ）で発生したドレン水は、冷却器（１２）に流入し重力により通水管（１２ａ）を流れることで、冷却器（１２）を通過した外気が冷却され熱交換器（８）を冷却することができる。ドレン水は、冷却器（１２）の通水管（１２ａ）の排水口（１２ｃ）から室外に排水する。入水口（１２ｂ）と排水部（１３ａ）との接続は、脱着可能な接続具を使用すれば、空調機の据え付けやドレン水排管（１３）や冷却器（１２）のメンテナンスを容易にできる。ドレン水の流量や温度等の所要能力を変更するには、流量調整器等の機器を利用すれば精度の高い運用ができる。また、冷却器（１２）の管径や管長を変更することでも対応できる。
（ル）ファン（１０）により開口部（Ｘ）と通気孔（３ａ）から吸入した外気（ｉ）は、冷却器（１２）を通過することで温度が下がった状態で熱交換器（８）を冷却して前板（２）に設けた通風口（２ａ）から外部に排出する。以上により、冷房時に熱交換器（８）は容易に、しかも効率よく安定して冷却することができる。
（オ）以上のように本発明によれば、ドレン水を通水した冷却器（１２）により吸入外気を冷却し、熱交換器（８）を通過させて熱交換をすることで、熱交換器（８）は単なる外気で冷却する場合より凝縮能力を大きく向上できる。
（ワ）本発明によれば、ドレン水を直接熱交換器（８）に流すことがなく、熱交換器（８）を形成するフィンの腐食は発生しない。従って、フィンの劣化による熱交換器や室外機の凝縮能力や耐久性の低下が生じることがない。
【００１６】  ［００１５］の実施例において、熱交換器（８）の吸気側にエヤフィルターを装着する場合やエヤフィルターを熱交換器（８）の吸気側に近設する場合、エヤフィルターに冷却器（１２）を取付けても［００１５］に示す場合と同じ効果がある。また、エヤフィルターと冷却器を一体構造にすれば高機能化とコンパクト化が図れる。
【００１７】  図６の他の実施例１に示すように、ファン（２１０）が通風口（２２ａ）から外気（ｉａ）を吸気し、開口部（Ｘａ）及び網目状に形成したファンガード（２７）の通風孔（２３ａ）から排気する室外機（Ａａ）の場合、室外機（Ａａ）に設ける冷却器（２１２）を熱交換器（２８）の内面側に取着する。すなわち、冷却器（２１２）に設けた取付具右（２１２ｄ）、取付具左（２１２ｅ）で底板（２６）に取着する。以上のように形成することで、ファン（２１０）により通風口（２２ａ）から吸入した外気（ｉａ）は、冷却器（２１２）の通水管（２１２ａ）を通過し冷却され、その後に熱交換器（２８）を冷却し開口部（Ｘａ）、通気孔（２３ａ）から排出する。尚、図中（２７）はファンガードを示す。以上から明らかなように、他の実施例１は［００１５］に示す実施例と同様の効果がある。
【００１８】  図７の他の実施例２に示すように、室外機（Ａｂ）（図示せず）に設ける熱交換器（３８）に冷却器（３１２）を取着する。冷却器（３１２）の通水管（３１２ａ）を複数分岐にすることで冷却水は各段の通水管に分流し、熱交換器（３８）の全面を均等に冷却する。すなわち、通水管（３１２ａ）の入水口（３１２ｂ）に分岐管（３１２ｆ）を設けることで通水管（３１２ａａ）、（３１２ａｂ）、（３１２ａｃ）、（３１２ａｄ）に均等に冷却水を通水できる。分岐方法は公知の方法であれば特に問題がない。また、熱交換器（３８）の大きさや冷却水の量や流速等により、通水管（３１２ａ）の各段をいくつか統合して分岐してもよい。冷却水は通水管（３１２ａａ）、（３１２ａｂ）、（３１２ａｃ）、（３１２ａｄ）を流れ、集水管（３１２ｇ）に集水し排水口（３１２ｃ）から排水される。
【００１９】  冷却器をファンガードとして使用すれば安価にできる。本発明の他の実施例３について、図８に基づき説明する。
（イ）室外機（Ａｃ）の本体（４１）の前板（４２）に通風口（４２ａ）を設ける。
（ロ）冷却器（４１２）の通水管（４１２ａ）は、冷却水として使用するドレン水が通水管（４１２ａ）を流れるように円弧状に形成する。
（ハ）冷却器（４１２）は、冷却器（４１２）に取着した取付け金具（４１２ｇ）で通風口（４２ａ）に装着する。
（二）ドレン水は冷却器（４１２）の上部の入水口（４１２ｂ）から流入し、通水管（４１２ａ）を流れ、下部の排水口（４１２ｃ）から室外に排出する。
（ホ）ファン（４１０）は通風口（４２ａ）から外気を吸入し、熱交換器（４８）を冷却して通風口（４２ａ）の対面で室外機（Ａｃ）の正面に設けた開口部から排気する。
（ヘ）以上により、冷却器（４１２）はファンガード兼冷却器として機能する。
【００２０】  本発明の空調機の他の実施例４について、図９、図１０、図１１、図１２に基づいて説明する。本実施例では、冷却水としてドレン水を使用する。
（イ）室外機（Ａｄ）の本体（５１）は前板（５２）、右側板（５３）、左側板（５４）、天板（５５）、底板（５６）で形成する。
（ロ）本体（５１）には室外機（Ａｄ）を据え付ける脚（５１ａ）を設け、室外機（Ａｄ）をバランスよく設置できるようにする。
（ハ）本体（５１）の正面に、右側板（５３）、左側板（５４、）天板（５５）、底板（５６）で開口部（Ｘｂ）を形成する。右側板（５３）には通気孔（５３ａ）（図示せず）を設ける。開口部（Ｘｂ）や通気孔（５３ａ）（図示せず）は外気の吸排ができる構造であれば本実施例によらなくても差し支えない。前板（５２）には、開口部（Ｘｂ）に相対する位置に通風口（５２ａ）を設け、ファンガード（５７）を装着する。ファンガード（５７）は、空気の通りが容易なように網目状等に形成する。
（ニ）底板（５６）に熱交換器（５８）、圧縮機（５９）、ファン（５１０）、制御機器部（５１１）等を定置する。熱交換器（５８）や圧縮機（５９）等の冷媒系統の機器は接続配管（図示せず）で接続し、図５に示す室内機（Ｂ）と接続することで冷媒回路を形成する（冷媒回路や制御装置については従来の多数の公知の技術によるので、詳細は省略している）。
（ホ）本実施例ではファン（５１０）は、開口部（Ｘｂ）から外気（ｉｂ）を吸入し通風口（５２ａ）から排出する。設置環境や機能面等で通風口（５２ａ）から外気を吸入し開口部（Ｘｂ）から排出しても差支えない。
（ヘ）熱交換器（５８）は、設計上から設定する所定数のフィン（５８ａ）と所定数の伝熱管（５８ｂ）でエレメント（５８ｅ）を形成する。熱交換器（５８）は一般的な公知の構造にする。エレメント（５８ｅ）の前後にはエンドプレート前（５８ｃ）とエンドプレート後（５８ｄ）を取着し、熱交換器（５８）を底板（５６）に取着する。尚、本実施例では熱交換器（５８）は冷房時の凝縮器として機能する。
（ト）熱交換器（５８）は開口部（Ｘｂ）に近設する。本実施例の熱交換器（５８）はＬ字状に形成し、右側板（５３）には通気孔（５３ａ）（図示せず）を設けている。開口部（Ｘｂ）はエレメント（５８ｅ）の長手部（５８ｆ）の面積と同等にし、右側板（５３）の通気孔（５３ａ）（図示せず）は熱交換器（５８）のＬ字上の短手部に吸気するためのものである。通気孔（５３ａ）（図示せず）は開口部（Ｘｂ）と同様に開口していても差し支えない。ファン（５１０）により開口部（Ｘｂ）と通気孔（５３ａ）から吸入した外気（ｉｂ）は、熱交換器（５８）のエレメント（５８ｅ）を通過して熱交換する。従って、開口部（Ｘｂ）と通気孔（５３ａ）は外気（ｉｂ）をエレメント（５８ｅ）に容易に供給できる構造であればよい。
（チ）熱交換器（５８）の開口部（Ｘｂ）側のエレメント（５８ｅ）に冷却器（５１２）を装着する。すなわち、ヘヤピン状の複数段からなる冷却器（５１２）の通水管（５１２ａ）を熱交換器（５８）のエレメント（５８ｅ）に挿着する。
（リ）通水管（５１２ａ）の挿着は図１１、図１２に示すように、本実施例では熱交換器（５８）のエレメント（５８ｅ）を構成する全てのフィン（５８ａ）に通水管（５１２ａ）が挿着できるようにＵ型の溝（５８ｈ）を設ける。Ｕ型の溝（５８ｈ）の幅は、冷却器（５１２）の通水管（５１２ａ）が嵌装できる幅にする。溝（５８ｈ）の底部は通水管（５１２ａ）と密着性が高い形状にする。すなわち、通水管（５１２ａ）の外径と同程度にする。全てのフイン（５８ａ）に設ける溝（５８ｈ）は、エレメント（５８ｅ）に通水管（５１２ａ）が挿着できるように各フィン（５８ａ）の溝の位置と幅と深さを均一に形成する。
（ヌ）通水管（５１２ａ）の挿着は、フィン（５８ａ）のＵ型の溝（５８ｈ）の開口から通水管（５１２ａ）を挿入し、Ｕ型の溝（５８ｈ）の底面に通水管（５１２ａ）が密着するまで挿入する。通水管（５１２ａ）を挿着した時に、フィン（５８ａ）のＵ型の端面と通水管（５１２ａ）が密着するように形成することでエレメント（５８ｅ）と通水管（５１２ａ）の伝熱効率を高める。溝（５８ｈ）の深さは溝（５８ｈ）の形状から明らかなように、通水管（５１２ａ）の外径の１／２以上にする。溝（５８ｈ）はエレメント（５８ｅ）に通水管（５１２ａ）を挿着できるように各フィン（５８ａ）の溝（５８ｈ）を形成する。
（ル）エンドプレート前（５８ｃ）とエンドプレート後（５８ｄ）にも同様に溝を設ける。すなわち、エレメント（５８ｅ）各段のＵ型の溝（５８ｈ）の位置に合致するようにエンドプレート前（５８ｃ）とエンドプレート後（５８ｄ）にも溝を設ける。当該溝は通水管（５１２ａ）が容易に挿入できる溝幅にする。当該溝の深さは通水管（５１２ａ）が溝（５８ｈ）の底面に密着するのを妨げない深さにする。
（オ）冷却水は通水管（５１２ａ）の入水口（５１２ｂ）から流入し、通水管（５１２ａ）内を流れ、排水口（５１２ｃ）から排水される。冷却水の流量や温度等の所要能力を変更するには、流量調整器等の機器を利用すれば精度の高い運用ができる。また、冷却器（１２）の管径や管長を変更することでも対応できる。
（ワ）ファン（５１０）により開口部（Ｘｂ）及び通風口（５２ａ）から吸入した外気（ｉｂ）は、熱交換器（５８）のエレメント（５８ｅ）と通水管（５１２ａ）との伝熱を高め、熱交換器（５８）の凝縮能力を格段に高める。外気（ｉｂ）は、熱交換器（５８）を通過して前板（５２）に設けた吸気口（５２ａ）から外部に排出する。
（カ）以上のように、本発明によれば熱交換器（５８）に冷却器（５１２）の通水管（５１２ａ）を挿着し嵌装することで、熱交換器（５８）の凝縮能力は格段に向上できるわけである。
【００２１】  実施例では冷房時の例を示したが、冬季の暖房時には室外機の熱交換器の凍結による暖房能力低下を懸念されるが、本発明の空調機によれば、［００２５］の他の実施例６に示すように水道水を通水することで、暖房運転中の室外機に設ける熱交換器のエレメントの凍結防止や氷結による機能低下を防止できる。
【００２２】  ［００２０］において、冷却器（５１２）の通水管（５１２ａ）を熱交換器（５８）に単に取付けても良い。この場合、通水管（５１２ａ）をエレメント（５８ｅ）に密着して取着すればより伝熱効果がある。
【００２３】  ［００２０］において図１３の他の実施例５に示すように、熱交換器（６８）（図示せず）のフィン（６８ａ）の溝（６８ｈ）に立上げ部（６８ｉ）を設ければ、フィン（６８ａ）と冷却器（６１２）の通水管（６１２ａ）との伝熱面積が広がり更に熱伝導性が向上する。
【００２４】  本発明の空調機によれば、冷却器を複数設ければ更なる効果を発揮できる。例えば、［００１５］に示す実施例と［００１９］に示す他の実施例３を併用することや、更にその他の実施例を複数組み合わせて使用すれば冷却能力を一段と向上させることができる。
【００２５】  本発明の他の実施例６について、図１４に基づいて説明する。
（イ）室外機（Ａｅ）の熱交換器に設ける冷却器（７１２）の通水管（７１２ａ）の入水口（７１２ｂ）と室内機（Ｂ）のドレン水排管（７１３）の排水部（７１３ａ）と水道水管（７１６）を流量調整器（７１７）に接続し、室外機（Ａｅ）の本体（７１）の外面に取付けた冷却器（７１２）の通水管（７１２ａ）に冷却水として水道水とドレン水を取り入れる。
（ロ）流量調整器（７１７）は制御回路（図示せず）により冷却水の流量や水温を制御する。すなわち、外気温やドレン水量、あるいはドレン水温や水道水温等のデータを解析し適時設定した冷却水を供給する。勿論、室内温度等も制御の要因とすれば、更に省エネルギー化や高性能化を図れる。
（ハ）冷却水の制御は流量調整器（７１７）によらなくても、水道水とドレン水を切り変える電磁弁、あるいは別途に流量調整装置を設け、接続は単なる接続具を使用しても差し支えはない。
（二）冷却水に水道水を使用した場合、ドレン水のみの時よりも供給水温は高くなるが、流量を増加させることで熱交換器（７８）の冷却効果を維持、あるいは増加できる。
【００２６】  ［００２５］の他の実施例６において、冷却水にドレン水と水道水を使用できることで新たな性能安定が図れる。すなわち、［００２４］で開示した複数の冷却器を室外機に設け、ドレン水と水道水を各々の該冷却器で通水選択をすることで、該室外機の熱交換器の冷却が格段に向上できる。また、室内空気の湿度が低下し低温のドレン水が不足した場合、水道水の流量や流速を増加し、該冷却器全体としての冷却性能の低下を防止できる。
【００２７】  ［００１５］示す実施例や［００１９］に示す他の実施例３において、［００２５］に示す他の実施例６に基づき、冷却水に水道水を使用すれば送水圧により冷却水が強制的に流れる。従って、重力により冷却水を流すことを考慮する必要がない。すなわち、冷却器の構造を自在に形成することができ、更に高所にも冷却水を送水することができ、室内機にも冷却水を供給することができる。勿論、ポンプ等を設ければ強制的に冷却水を送水できる。
【００２８】  本発明の他の実施例７について、図１５図、１６に基づき説明する。尚、本実施例は他の実施例６に機能を追加したものであるので、他の実施例６（図１４）を準用する。また、他の実施例７の室内機内部の詳細は図１６に示し、図１５の全体図では省略する。尚、室内機（Ｂ）は家屋の壁（Ｃ）に設置している。
（イ）図１５において、ドレンパン（７２３）のドレン水を室外機（Ａｅ）の熱交換器（７８）の外面に設けた冷却する冷却器（７１２）に送水するドレン水排管（７１３）の一部に切換え弁（７５１）を設ける。
（ロ）ドレン水排管１（７１３−１）の一端をドレンパン（７２３）に接続し、他端を切換え弁（７５１）のドレン口１（７５１ａ）に接続する。ドレン水排管２（７１３−２）の一端を切換え弁（７５１）のドレン口２（７５１ｂ）に接続し、他端を流量調整器（７１７）に接続する。
（ハ）切換え弁（７５１）の給水口（７５１ｃ）に給水管（７５２）の一端を接続し、他端を室内機（Ｂ）の給水接続部（７５３）に接続する。
（二）給水接続部（７５３）は、設置面から室内機（Ｂ）の室内熱交換器（７２９）の後部の背板（７５４）に設ける。
（ホ）水道管（７１６）を流量調整器（７１７）に取り付ける。流量調整器（７１７）は制御手段に合せて適合する弁類を設けても良い。
（ヘ）図１６に示すように、室内機（Ｂ）の室内熱交換器（７２９）の背面部にモーターを動力とする室内ファン（７５６）を装着する。室内ファン（７５６）は室内空気（ｉｃ）を吸入し、熱交換後の冷気（ｉｄ）を室内に送風する。
（ト）図１６において、給水接続部（７５３）に加湿器（７５５）を設ける。加湿器（７５５）は、水蒸気を発生させる発生器（７５５ａ）と噴出ノズル（７５５ｂ）で形成する。勿論、公知の加湿装置を設置しても差支えがなく、給水接続部（７５３）と加湿器（７５５）は一体にしてもよい。吸入した室内空気（ｉｃ）は室内熱交換器（７２９）で冷却され、加湿器（７５５）で発生させた水蒸気を巻き込み、室内ファン（７５６）により、加湿された冷気（ｉｄ）を室内に送風する。加湿は空調機に設けた制御機器（図示せず）により、データを収集・分析し冷却器の能力が常に最良になるように制御する。
（チ）切換え弁（７５１）は本実施例では、配管本数を削減するためにドレン水と水道水を切り変える構造にしている。機能上必要ならば他の流路が同時に使用できる複数路の弁等を設ければ制御面において利点がある。切換え弁（７５１）に補助口（７５１ｄ）を設け、水道管（７１６）や洗浄液を供給する機器を取付ければ、ドレンパン（７２３）や給水口（７５１）に他の配管を使用せずに供給できるので加湿や洗浄時に便利である。
（リ）また、ドレン水あるいは水道水の流路の往路と復路毎に給水管（７５２）やドレン水排管２（７１３−２）を複設することで、切換えをすることなく種々の冷却水を流すことができる。従って、冷却水が時間差なく給排水できるので、回路は複雑になるが制御面で容易になる。
（ヌ）冷却器の性能を高めるために、ドレン水と水道水を必要な混合比率で混合し、流量調整器（７１７）や切替え弁（７５１）等を制御する制御回路（図示せず）を設けて冷却器（７１２）や加湿器（７５５）に給水する。空調機（Ｂ）に統合した制御回路を設ければ更に合理化が図れる。
（ル）以上から明らかなように、給水接続部（７５３）に必要とする機能、すなわち、加湿だけでなく洗浄等に対応する器具や装置等を取付けることで多様な機能を付加することができる。切替え弁（７５１）に補助口（７５１ｄ）を設け、洗浄液や配管清浄液等を供給すれば新たな用途に有用である。
【００２９】  ［００２８］の実施例７に示すように冷却器（７１２）の冷却能力を安定化することができる。すなわち、冷房運転を続けることで室内空気（ｉｃ）の湿度が下がり、低温のドレン水の発生量が減少した場合、湿度感知装置（本実施例では加湿器に内蔵）が感知し、加湿器（７５５）が作動し室内空気（ｉｃ）を加湿する。すなわち、ドレン水を自在に発生させることができるわけである。従って、室内の湿度を制御し、ドレン水量を安定して冷却器（７１２）に供給することで冷却器（７１２）の能力を常時自在に制御できる。しかも、本実施例では水道水を利用して冷却水を生成できることから、室内機（Ｂ）に水圧により給水できることで揚水動力を必要としないので、省エネルギーで冷却器（７１２）の冷却能力を安定し、空調機の性能を格段に向上できる。
【００３０】  更に、本発明の他の実施例７の機能により、室内空気（ｉｃ）が乾燥することにより、ウイルス等の繁殖による風邪引きや乾燥肌症状等、空気が乾燥することで発症する病気を防止できる。すなわち、室内空気（ｉｃ）の乾燥度を自動的に検出し適宜的確に室内空気を加湿することでこれらの発症を防止できる。
【００３１】  本発明の空調機の他の実施例８について、図１７、図１８に基づいて説明する。
（イ）貯水タンク（８１８）は、上部にオーバーフローした冷却水を外部に放出する逃水管（８１８ａ）を設け、貯水タンク（８１８）が一定量以上貯水できないようにする。貯水タンク（８１８）の上部にポンプ（８１９）を載設する。貯水タンク（８１８）とポンプ（８１９）は、外気の影響を受けないように断熱材（図示せず）で被覆する。設置地域の環境等から必要がなければ特に被覆しなくてもよい。
（ロ）ポンプ（８１９）の吐出口（８１９ａ）に配管１（８２０）の一端を接続し、配管１（８２０）の他端は制御弁１（８２１）の吸入口１（８２１ａ）に接続する。
（ハ）水道管（８１６）を制御弁１（８２１）の吸入口２（８２１ｂ）に接続する。
（ニ）ドレン水排管（８１３）の一端を室内機（Ｂ）のドレンパン（８２３）に接続する。ドレン水排管（８１３）の排水部（８１３ａ）は制御弁２（８２４）の吸入口３（８２４ａ）に接続する。
（ホ）配管２（８２２）の一端を制御弁１（８２１）の排出口１（８２１ｃ）に接続し、他端を制御弁２（８２４）の吸入口４（８２４ｂ）に接続する。
（ヘ）室外機（Ａｆ）に設けた冷却器（８１２）の通水管（８１２ａ）の一端の入水口（８１２ｂ）を制御弁２（８２４）の排出口３（８２４ｃ）に接続する。通水管（８１２ａ）の他端の排水口（８１２ｃ）は貯水タンク（８１８）の戻水口（８１８ｂ）に接続する。
（ト）熱交換器（８８）を冷却する冷却器（８１２）は、本発明の実施例や他の実施例で示した位置に設ければ機能する。また、ドレン水排管（８１３）、通水管（８１２ａ）、水道管（８１６）、配管１（８２０）、配管２（８２２）等の外気影響を受ける部分にはそれぞれ断熱材を取着すれば冷却力が向上する。
（チ）装着した制御弁１（８２１）、制御弁２（８２４）、ポンプ（８１９）等の制御、冷却水（洗浄水）の流量、流速等の制御は、自動制御回路（図示せず）を設けて制御する。
（リ）本発明の他の実施例８によれば、ドレン水、水道水、貯水等を組み合わせ、多種の冷却水を生成し冷却器（８１２）に通水できる。従って、自動制御回路と連携することで、室外機（Ａｆ）に設けた熱交換器（８８）の冷却効率を向上させることで、空調機の性能を格段に向上し室外機のコンパクト化、省エネルギー化を実現できる。
（ヌ）以上のように形成することで、冷却水の循環回路を形成する。循環回路の冷却水中の不純物については、ポンプや配管の詰りを発生し循環を阻害する。従って、循環回路の各所にストレーナー等を設けることで対応する。また、不純物を集中捕獲するようにすれば管理が容易である。
（ル）以上により、図１８に示すように冷却水の循環の基本回路は下記のように形成される。（図中▲１▼〜▲１２▼は冷却水の流路ポイントを示す）
2018054280.tif 000003
【００３２】  次に他の実施例９について、図１９、図２０に基づいて説明する。他の実施例９は［００３１］の他の実施例８に回路を追加するものであるので、他の実施例８（図１７）、（図１８）を準用する。
（イ）貯水タンク（８１８）は、上部にオーバーフローした冷却水を外部に放出する逃水管（８１８ａ）を設け、貯水タンク（８１８）が一定量以上貯水できないようにする。貯水タンク（８１８）の上部にポンプ（８１９）を載設する。貯水タンク（８１８）とポンプ（８１９）は、外気の影響を受けないように断熱材（図示せず）で被覆する。但し、設置地域の環境等から必要がなければ被覆しないでもよい。
（ロ）ポンプ（８１９）の吐出口（８１９ａ）に配管１（８２０）の一端を接続し、配管１（８２０）の他端は制御弁１（８２１）の吸入口１（８２１ａ）に接続する。
（ハ）水道管（８１６）を制御弁１（８２１）の吸入口２（８２１ｂ）に接続する。
（ニ）配管２（８２２）の一端を制御弁１（８２１）の排出口１（８２１ｃ）に接続し、他端を制御弁２（８２４）の吸入口４（８２４ｂ）に接続する。
（ホ）配管３（８２５）（図１７に追加した配管）の一端を制御弁１（８２１）の排出口２（８２１ｄ）に接続し、配管３（８２５）の他端を室内機（Ｂ）の上部に設けた給水口（８２６）に接続する。
（ヘ）ドレン水配管（８１３）の一端を室内機（Ｂ）のドレンパン（８２３）に接続する。ドレン水排管（８１３）の排水部（８１３ａ）は制御弁２（８２４）の吸入口３（８２４ａ）に接続する。
（ト）室外機（Ａｆ）に設けた冷却器（８１２）の通水管（８１２ａ）の一端の入水口（８１２ｂ）を制御弁２（８２４）の排出口３（８２４ｃ）に接続する。通水管（８１２ａ）の他端の排水口（８１２ｃ）は貯水タンク（８１８）の戻水口（８１８ｂ）に接続する。
（チ）装着した制御弁１（８２１）、制御弁２（８２４）、ポンプ（８１９）の制御、冷却水（洗浄水）の流量、流速等の制御は、自動制御回路（図示せず）を設けて制御する。
（リ）配管４（８２８）（図１７に追加した配管）の一端を制御弁２（８２４）の排出口４（８２４ｄ）に接続し、他端を冷却器（８１２）の通水管（８１２ａ）の排水口（８１２ｃ）と接合する。配管４（８２８）（図１７に追加した配管）の他端は、直接貯水タンク（８１８）に接続してもよい。
（ヌ）室外機（Ａｆ）に設けた冷却器（８１２）は、熱交換器（８８）を冷却するものである。従って、本発明の実施例や他の実施例で示した位置に設ければよい。また、ドレン水排管（８１３）、通水管（８１２ａ）の入水口（８１２ｂ）や排水口（８１２ｃ）、水道管（８１６）、配管１（８２０）、配管２（８２２）、配管３（８２５）（図１７に追加した配管）等の外気影響を受ける部分にはそれぞれ断熱材を取着する。
（ル）以上のように形成することで、冷却水の循環回路を形成する。循環回路の冷却水中の不純物については、ポンプや配管の詰りを発生し循環を阻害する。従って、循環回路の各給水側や貯水タンクの冷却水の戻り部や吐出部にストレーナー等を設けることで対応する。
（オ）冷却水の流路（図２０）の基本回路は下記の様に形成される。基本回路は用途により、機器や配管の組合せや追加、変更等をすることで対応できる。
（図中▲１▼〜▲１４▼は冷却水の流路ポイントを示す）
2018054280.tif 000004
（ワ）本発明の他の実施例９の冷却水の循環回路により、室内熱交換器（８２９）の洗浄ができる。すなわち、冷却水が配管３（８２５）から室内機（Ｂ）の給水口（８２６）から室内機（Ｂ）に設けた洗浄装置（図示せず）を経由して室内熱交換器（８２９）を洗浄する。制御弁１（８２１）は制御回路により制御し、洗浄に最適の冷却水を供給し、室内熱交換器（８２９）の自動洗浄ができる。例えば、洗浄装置（図示せず）が高速の冷却水で洗浄できるようにすれば、洗浄力を高めることができる。また、室内熱交換器（８２９）の汚れや目詰まり等を自動感知し適時的確に洗浄することで常時安定した冷房ができる。洗浄方法や構造は、公知の自動洗浄の技術を利用すれば、洗浄剤等を使用して洗浄することもできる。
（カ）図２０に示すように、洗浄の基本回路は下記のように形成される。
（図中▲１▼〜▲１５▼は冷却水の流路ポイントを示す）
2018054280.tif 000005
2018054280.tif 000006
【００３３】  次に他の実施例１０ついて、図２１に基づいて説明する。尚、本実施例は［００３２］の他の実施例９に回路を追加するものであるので、図１９、図２０を準用する。本実施例は、室外機の熱交換器の冷却と室内熱交換器の洗浄の基本的な回路の実施例であり、回路や機器の変更や追加をすることで用途を拡張できる。
（イ）ドレン水排管（８１３）の一部に制御弁３（８２７）を設ける。すなわち、ドレンパン（８２３）と制御弁２（８２４）の間に制御弁３（８２７）を設け、配管５（８３０）（図１９に追加した回路）を接続する。
（ロ）配管５（８３０）（図１９に追加した回路）の他端は外部に開放する。
（ハ）貯水タンク（８１８）に貯水された洗浄水を、ポンプ（８１９）が吐出し制御弁１（８２１）を経由して室内機（Ｂ）に供給する。
（二）制御弁３（８２７）にドレン水排管（８１３）を接続する。
（ホ）室内熱交換器（８２９）の洗浄装置（図示せず）を室内機（Ｂ）に設置する。室内熱交換器（８２９）の洗浄時は、給水口（８２６）に洗浄装置を装着し、空調機に組み込まれた自動制御回路（図示せず）でポンプ（８１９）、制御弁１（８２１）、制御弁２（８２４）、制御弁３（８２７）等を制御し、所定水量を室内機（Ｂ）に給水し洗浄装置が働き洗浄する。給水口（８２６）に高速水や低速水、あるいは噴霧水等を流出するノズル等の機器を組込めば、室内熱交換器（８２９）を効率よく洗浄することができる。
（ヘ）水道水を使用して室内機（Ｂ）に供給し洗浄する場合、ポンプ（８１９）を使用する必要がない。すなわち、水道水の水圧により制御弁（８２１）を経由して室内機（Ｂ）に給水ができる。流量や洗浄装置の制御は、本実施例の説明（ホ）の場合と同様に制御する。
（ト）洗浄後の洗浄水はドレンパン（８２３）で受け、配管５（８３０）（図１９に追加した回路）から室外に排水される。勿論、洗浄液等が混入するので、冷却水の使用に影響がなければ他の共用回路を使用しても差し支えない。
（チ）冷却回路の制御と空調機の制御を総合して自動制御を行えば、利便性を高めるとともに空調機の性能、省エネルギー化をより高めることができる。
（リ）以上により、図２１の冷却水の洗浄の基本回路は下記のように形成される。
（図中▲１▼〜▲１７▼は冷却水の流路ポイントを示す）
2018054280.tif 000007
2018054280.tif 000008
（ヌ）本発明の実施例の冷却水の流路回路は［００３７］に準じており、［００３７］の他の実施例１１で示すので本実施例では省略をする。
【００３４】  本発明の他の実施例１０によれば、室内機の熱交換器の洗浄が自動で安全にできることで、特に高齢者等に利便性が高い。また、洗浄を原因とする火災等に対しては、設計面で対処することで安全面の課題を解消できる。
【００３５】  冷却水回路内における配管詰りを防止するために冷却水回路内にストレーナーを設ける。該ストレーナーは脱着自在にすれば経年的にも問題がない。これらの技術は公知の技術であるので容易に対応できる。また、洗浄後に該冷却回路内の配管に異物等により詰りが発生しないように、異物や不純物をバイパス回路を設けて、自動的にあるいは手動で集積廃棄することで利便性が高くなる。
【００３６】  次に室内機のフィルターを自動清掃する空調機の場合、室内熱交換器の清掃は手動で熱交換器を洗浄する。室内機は天井付近に据え付けられることが多く、高齢者が洗浄するには不安全であった。また、洗浄時に洗浄液が電子機器等に付着し、埃等と結合し火災を発生させることがあったが、本発明の空調機の場合、室内機に安全を考慮した自動洗浄制御装置（図示せず）を設けることで安全に洗浄できるので、室内熱交換器の洗浄を安全で適時的確に行うことができる。
【００３７】  次に冷却水回路の他の実施例１１について、図２２、図２３に基づいて説明する。
（イ）ドレン水排管１（９１３−１）の一端をドレンパン（９２３）に接続し他端を制御弁３（９２７）の吸入口５（９２７ａ）に接続する。ドレン水排管２（９１３−２）の一端を制御弁３（９２７）の排出口５（９２７ｂ）に接続し、他端を制御弁２（９２４）の吸入口３（９２４ａ）に接続する。
（ロ）室外機（Ａｇ）に設けた冷却器（９１２）の通水管（９１２ａ）の入水口（９１２ｂ）を制御弁２（９２４）の排出口３（９２４ｃ）に接続する。通水管（９１２ａ）の排水口（９１２ｃ）を配管４（９２８）に接続する。本実施例ではロー付けにより接続し、冷却水が円滑に流れるように流路を確保している。
（ハ）配管１（９２０）の一端をポンプ（９１９）の吐出口（９１９ａ）に接続し、他端を制御弁１（９２１）の吸入口１（９２１ａ）に接続する。貯水タンク（９１８）に貯水された冷却水を、ポンプ（９１９）が吐出し制御弁１（９２１）を経由して室内機（Ｂ）に供給する。
（二）配管２（９２２）の一端を制御弁２（９２４）の吸入口４（９２４ｂ）に接続し、他端を制御弁１（９２１）の排出口２（９２１ｄ）に接続する。
（ホ）制御弁３（９２７）の排出口６（９２７ｃ）に配管５（９３０）の一端を接続し他端は外部に開放する。
（ヘ）水道管（９１６）を制御弁１（９２１）の吸入口２（９２４ｂ）に接続する。その結果、冷却器（９１２）による室外機の熱交換器を冷却するだけでなく、室内空気の加湿等の機能を付加でき新たな効果を創出する事ができる。
（ト）配管３（９２５）の一端を制御弁１（９２１）の排出口２（９２１ｄ）に接続し、他端を室内機（Ｂ）の背板（９５４）の給水接続部（９５３）に設けた制御弁４（９３１）の吸入口５（９３１ａ）に接続する。
（チ）制御弁４（９３１）の排出口６（９３１ｂ）に配管６（９３２）の一端を接続し、他端に加湿装置（９３３）を装着する。加湿装置（９３３）は制御回路（図示せず）により室内の湿度を感知し、冷却器（９１２）へのドレン水量を最適にするために加湿することで、冷却器（９１２）の冷却能力の低下を防ぎ、あるいは夏季異常高温時に冷却能力を高める。加湿装置（９３３）は制御弁４（９３１）と一体にすれば配管６（９３２）を削減できる。
（リ）制御弁４（９３１）の排出口７（９３１ｃ）に配管７（９３４）の一端を接続し、他端に洗浄装置（９３５）を装着する。洗浄装置（９３５）は室内熱交換器（９２９）のエレメントの全長を同時に洗浄する構造にする。洗浄装置（９３５）をエレメントの全長に渡り可動するようにすれば、全長を同時に洗浄する構造にする必要はない。
（ヌ）室内熱交換器（９２９）の洗浄は、水道水あるいは混合水を使用する。洗浄装置（９３５）の自動制御回路（図示せず）がポンプ（９１９）、制御弁１（９２１）、制御弁２（９２４）、制御弁４（９３１）を制御し、所定水量を室内機（Ｂ）に給水し洗浄装置が働き洗浄する。洗浄装置（９３５）にノズル等を取着すれば、高速の冷却水で室内熱交換器（９２９）を効率よく洗浄することができる。洗浄後の冷却水はドレンパン（９２３）で受水し配管５（９３０）から室外に排水される。
（ル）水道水を使用して室内機（Ｂ）に供給し加湿や洗浄を行う場合、ポンプ（９１９）を使用しなくても、水道水の水圧により給水接続部（９５３）に給水することができる。
（オ）室内機の湿度を感知し加湿制御を行うことや、室内熱交換器の汚れ状況を感知し洗浄する等の諸機能については、総合的な自動制御装置を空調機に設けることで、使い易さを格段に高めることができる。
（ワ）以上により、図２３の冷却水の基本回路は下記のように形成される。
（図中▲１▼〜▲１７▼は冷却水の流路ポイントを示す）
2018054280.tif 000009
2018054280.tif 000010
（カ）以上により、図２３の加湿の基本回路は下記のように形成される。
（図中▲１▼〜▲１８▼は冷却水の流路ポイントを示す）
2018054280.tif 000011
（ヨ）以上により、図２３の洗浄の基本回路は下記のように形成される。
（図中▲１▼〜▲１９▼は冷却水の流路ポイントを示す）
2018054280.tif 000012
（タ）本実施例は、室外機の熱交換器の冷却や室内空気の加湿や室内熱交換器の洗浄の基本的な回路の実施例であり、回路や機器の変更や追加をして用途を拡張することができる。
【００３８】  循環回路は冷却水の消費を削減する省資源効果があり、夏季に生じる水不足にも対応できる。また、循環回路にすることで、環境面でクリーン度が高まる。尚、貯水タンク等の循環回路を構成する機器類を室外機と一体に設ければ、循環回路付空調機として利便性やコスト面のメリットが高くなる。
【００３９】（１）本発明は、以上の各実施例の説明から明らかなように、室外機の熱交換器の冷却に冷却器を設け、冷却水として種々の水を活用することで、安価にクリーンに省エネルギー化を実現した空調機である。
（２）また、冷却水にドレン水を利用し、冷房時の室外機の凝縮能力を向上するもので、室外機の熱交換器に水をかけて凝縮を高める必要がなく、熱交換器のフィンの腐食や環境への課題や設置面の制約も発生しない。
（３）更に、室内空気を加湿する機能で冷却水中のドレン水量を自在に変動し、室外機の凝縮能力を高め、空調機の冷房性能を高めることができた。
（４）また、室内機の熱交換器の洗浄機能を設けることができ、自動洗浄を可能にすることもできた。
【００４０】  本発明によれば様々な冷却水を適時的確に選択し制御して使用することで、様々な外気温度に対応できる空調機を提供できた。すなわち、ドレン水や水道水の比率を自在に変動して高温時の外気に対応することができた。例えば、夏季高温時には室内空気の強制加湿でドレン水比率高めて室外機に設けた冷却器の冷却力を安定し、該室外機の熱交換器の凝縮能力を外部環境に素早く対応して常時空調機の省エネルギー化や高性能を維持することができた。
【００４１】  また、本発明によれば冷房時の室外機の熱交換器の冷却を外気送風による冷却と、冷却器による冷却の複数の全く相違する冷却手段を設け、尚且つ種々の冷却水を活用し、外気送風量や風速を合せて変化させることで、夏季高温時や猛暑等の異常高温時等のいかなる外部環境においても、該室外機の該熱交換器の凝縮能力を低下させず、空調機の冷房能力を格段に向上できる新たな省エネルギーの空調機を提供することができた。
【００４２】  また、本発明によれば、室内機に給水することができる。従って、室内空気の湿度低下時には、冷却水給水、加湿しドレン水比率を変動させて、外気の変動に影響されることなく、空調機の性能を格段に向上することができた。また、室内空気乾燥時に加湿することで乾燥による健康阻害を緩和することもできた。
【００４３】  各実施例の説明から明らかなように、本発明に設ける冷却器は公知の熱交換器を選択して室外機に装着した場合でも、本発明の効果を得られる。また、冷却器の材質は熱伝導性の高いものが望ましいが、本発明の機能により外部環境等で耐食性や耐塩性材料や高強度の材料を使用しても差し支えない。
【００４４】  以上のように、本発明の空調機は夏季におけるいかなる気温の変動にも自在に対応し、常時安定した冷房性能を発揮できる。尚、本発明の空調機は冬季暖房運転時に何ら支障がなく、冷暖房機として使用しても何ら支障がないことは明らかである。
【図面の簡単な説明】
【００４５】
【図１】  本発明の室外機の平面断面図
【図２】  本発明の室外機の正面図
【図３】  本発明の室外機の右側面図
【図４】  本発明の室外機の一部を断面とした背面図
【図５】  本発明の実施例の空調機の全体図
【図６】  本発明の他の実施例１の平面断面図
【図７】  本発明の他の実施例２の冷却器を取着した熱交換器の斜視図
【図８】  本発明の他の実施例３の背面図
【図９】  本発明の他の実施例４の正面図
【図１０】  本発明の他の実施例４の背面図
【図１１】  本発明の他の実施例４の冷却器を挿着した熱交換器の斜視図
【図１２】  本発明の他の実施例４の熱交換器のエレメントの部分図
【図１３】  本発明の他の実施例５の熱交換器のエレメントの部分図
【図１４】  本発明の他の実施例６の空調機の全体図
【図１５】  本発明の他の実施例７の空調機の全体図
【図１６】  本発明の他の実施例７の室内機の側面断面図
【図１７】  本発明の他の実施例８の空調機の全体図及び冷却水の回路図
【図１８】  本発明の他の実施例８の冷却水の流路図
【図１９】  本発明の他の実施例９の空調機の全体図及び冷却水の回路図
【図２０】  本発明の他の実施例９の冷却水の流路図
【図２１】  本発明の他の実施例１０の冷却水の流路図
【図２２】  本発明の他の実施例１１の空調機の全体図及び冷却水の回路図
【図２３】  本発明の他の実施例１１の冷却水の流路図
【符号の説明】
【００４６】Ａ、Ａａ、Ａｂ、Ａｃ、Ａｄ、Ａｅ、Ａｆ、Ａｇ      室外機
Ｂ                                                室内機
Ｃ                                                壁
Ｘ、Ｘａ、Ｘｂ、Ｘｃ                              開口部
１、４１、５１、７１                              本体
１ａ、５１ａ                                      脚
２、４２、５２                                    前板
２ａ、２２ａ、４２ａ、５２ａ                      通風口
３、５３                                          右側板
３ａ、２３ａ                                      通気孔
４、５４                                          左側板
５、５５                                          天板
６、２６、５６                                    底板
７、２７、５７                                    ファンガード
８、２８、３８、５８、６８、７８、８８            熱交換器
８ａ、５８ａ、６８ａ                              フィン
８ｂ、５８ｂ                                      伝熱管
８ｃ、５８ｃ                                      エンドプレート前
８ｄ、５８ｄ                                      エンドプレート後
８ｅ、５８ｅ                                      エレメント
８ｆ、５８ｆ                                      長手部
８ｇ                                              短手部
５８ｈ、６８ｈ                                    溝
６８ｉ                                            立上げ部
９、５９                                          圧縮機
１０、２１０、４１０                              ファン
１０ａ                                            モーター
１０ｂ                                            羽根
１０ｃ                                            モーター台
１１、５１１                                      制御機器部
１２、２１２、３１２、４１２、５１２、７１２      冷却器
８１２、９１２                                    冷却器
１２ａ、２１２ａ、３１２ａ、４１２ａ、５１２ａ    通水管
６１２ａ、７１２ａ、８１２ａ、９１２ａ            通水管
３１２ａａ、３１２ａｂ、３１２ａｃ、３１２ａｄ    通水管
１２ｂ、３１２ｂ、４１２ｂ、５１２ｂ              入水口
７１２ｂ、８１２ｂ                                入水口
１２ｃ、３１２ｃ、４１２ｃ、５１２ｃ、７１２ｃ    排水口
８１２ｃ、９１２ｃ                                排水口
１２ｄ、２１２ｄ                                  取付具右
１２ｅ、２１２ｅ                                  取付具左
３１２ｆ                                          分岐管
３１２ｇ                                          集水管
４１２ｇ                                          取付金具
１３、７１３、８１３、９１３                      ドレン水排管
７１３−１、９１３−１                            ドレン水排管１
７１３−２、９１３−２                            ドレン水排管２
１３ａ、７１３ａ、８１３ａ                        排水部
１４                                              接続具
１５                                              断熱材
７１６、８１６、９１６                            水道管
７１７                                            流量調整器
８１８                                            貯水タンク
８１８ａ                                          逃水管
８１８ｂ                                          戻水部
８１９，９１９                                    ポンプ
８１９ａ、９１９ａ                                吐出口
８２０、９２０                                    配管１
８２１、９２１                                    制御弁１
８２１ａ、９２１ａ                                吸入口１
８２１ｂ、９２１ｂ                                吸入口２
８２１ｃ、９２１ｃ                                排出口１
８２１ｄ、９２１ｄ                                排出口２
８２２、９２２                                    配管２
７２３、８２３、９２３                            ドレンパン
８２４、９２４                                    制御弁２
８２４ａ、９２４ａ                                吸入口３
８２４ｂ、９２４ｂ                                吸入口４
８２４ｃ                                          排出口３
８２４ｄ                                          排出口４
８２５、９２５                                    配管３
８２６                                            給水口
８２７、９２７                                    制御弁３
９２７ａ                                          吸入口５
９２７ｂ                                          排出口５
９２７ｃ                                          排出口６
８２８、９２８                                    配管４
７２９、８２９、９２９                            室内熱交換器
８３０、９３０                                    配管５
９３１                                            制御弁４
９３１ａ                                          吸入口５
９３１ｂ                                          排出口６
９３１ｃ                                          排出口７
９３２                                            配管６
９３３                                            加湿装置
９３４                                            配管７
９３５                                            洗浄装置
７５１                                            切換え弁
７５１ａ                                          ドレン口１
７５１ｂ                                          ドレン口２
７５１ｃ                                          給水口
７５１ｄ                                          補助口
７５２                                            給水管
７５３、９５３                                    給水接続部
７５４，９５４                                    背板
７５５                                            加湿器
７５５ａ                                          発生器
７５５ｂ                                          噴出ノズル
７５６、９５６                                    室内ファン
ｉ、ｉａ、ｉｂ                                    外気
ｉｃ                                              室内空気
ｉｄ                                              冷気
【図１】
2018054280.tif 000013
【図２】
2018054280.tif 000014
【図３】
2018054280.tif 000015
【図４】
2018054280.tif 000016
【図５】
2018054280.tif 000017
【図６】
2018054280.tif 000018
【図７】
2018054280.tif 000019
【図８】
2018054280.tif 000020
【図９】
2018054280.tif 000021
【図１０】
2018054280.tif 000022
【図１１】
2018054280.tif 000023
【図１２】
2018054280.tif 000024
【図１３】
2018054280.tif 000025
【図１４】
2018054280.tif 000026
【図１５】
2018054280.tif 000027
【図１６】
2018054280.tif 000028
【図１７】
2018054280.tif 000029
【図１８】
2018054280.tif 000030
【図１９】
2018054280.tif 000031
【図２０】
2018054280.tif 000032
【図２１】
2018054280.tif 000033
【図２２】
2018054280.tif 000034
【図２３】
2018054280.tif 000035